(57)【要約】【課題】中仕切り部の両側に内容物収納部を有し、両側の内容物収納部を中仕切り部から容易に切り離せる紙トレー容器を提供することにある。【解決手段】少なくとも、長方形の第１側面板の一方の短辺に第２側面板、第１仕切り板、第２仕切り板が連設され、第１側面板と第２側面板の長辺に各々第３側面板と第４側面板がカット線を介して連設され、第１仕切り板と第２仕切り板の長辺に各々第３仕切り板と第４仕切り板がミシン目線を介して連設され、第２側面板の長辺に第１底面板、第２底面板が連設され、第４側面板の長辺に第３底面板、第４底面板が連設されてなるブランクを用いて、第１仕切り板及び第２仕切り板と、第３仕切り板及び第４仕切り板とをミシン目線を介して折り返してなる中仕切り部の両側に底部と側壁部を有する三角状の内容物収納部を連設したものからなる。【選択図】図１
2007022573.tif 000002
【特許請求の範囲】
【請求項１】
少なくとも、長方形の第１側面板の一方の短辺に同一寸法の第２側面板、長方形の第１仕切り板、長方形の第２仕切り板がそれぞれ罫線を介して前記順序で連設され、第１側面板の一方の長辺に同一寸法の第３側面板がカット線を介して連設され、第２側面板の第３側面板側の長辺に同一寸法の第４側面板がカット線を介して連設され、第１仕切り板の第４側面板側の長辺に第３仕切り板がミシン目線を介して連設され、第２仕切り板の第３仕切り板側の長辺に第４仕切り板がミシン目線を介して連設され、第３側面板と第４側面板が罫線を介して連設され、第４側面板と第３仕切り板が罫線を介して連設され、第３仕切り板と第４仕切り板が罫線を介して連設され、第２側面板のカット線と反対側の長辺に、外側に突出した底辺が斜め上方向に向いた状態の三角形状の第１底面板、外側に突出した底辺が斜め上方向に向いた状態の三角形状の第２底面板がそれぞれ罫線を介して前記順序で連設され、第４側面板のカット線と反対側の長辺に、第１底面板、第２底面板とそれぞれ対称形状の第３底面板、第４底面板がそれぞれ罫線を介して前記順序で連設され、さらに第１底面板と第２底面板の底辺側の境界と、第３底面板と第４底面板の底辺側の境界とに直線状の切り込みがそれぞれ設けられてなるブランクを用いて、連設されている第１仕切り板及び第２仕切り板と、連設されている第３仕切り板及び第４仕切り板とをミシン目線を介して折り返してなる中仕切り部の両側に底部と底部から折り立てられた側壁部を有する三角形状の内容物収納部を連設したものからなることを特徴とする紙トレー容器。
【発明の詳細な説明】
【技術分野】
【０００１】
本発明は、食品や非食品等の内容物を収納する為の紙トレー容器に関し、さらに詳しくは、複数個の内容物収納部を有する紙トレー容器に関するものである。
【背景技術】
【０００２】
食品や非食品等の収納容器として各種形状の樹脂トレー容器が使用されており、使用する樹脂としては、例えば、ポリエチレン樹脂、ポリプロピレン樹脂、ポリスチレン樹脂、ナイロン樹脂、ポリエステル樹脂などが多く使用されている。しかしながら、前記樹脂トレー容器は、生産設備などの点で少量ロットの場合は単価的に問題があったり、使用前の在庫時に嵩張ったり、樹脂の種類によっては再利用し難いなどの問題点があった。前記問題点を改善する為に、樹脂トレー容器に替えて、少量ロットの生産がし易く、さらにリサイクル性が優れている紙トレー容器が種々の分野で要望されており、種々の形態のものが提案されている（例えば、特許文献１、特許文献２参照。）。
【特許文献１】特開平６−１５６４６９号公報
【特許文献２】特開２００３−９５３４４号公報
【発明の開示】
【発明が解決しようとする課題】
【０００３】
しかしながら、前記提案されて紙トレー容器は、いずれも内容物収納部が１個であり、内容物によっては使用に適さない形状のものであった。
【０００４】
本発明の課題は、中仕切り部を介して両側に内容物収納部を有し、さらに両側の内容物収納部を中仕切り部から簡単に切り離し、分離できる紙トレー容器を提供することにある。
【課題を解決するための手段】
【０００５】
本発明の請求項１に係る発明は、少なくとも、長方形の第１側面板の一方の短辺に同一寸法の第２側面板、長方形の第１仕切り板、長方形の第２仕切り板がそれぞれ罫線を介して前記順序で連設され、第１側面板の一方の長辺に同一寸法の第３側面板がカット線を介して連設され、第２側面板の第３側面板側の長辺に同一寸法の第４側面板がカット線を介して連設され、第１仕切り板の第４側面板側の長辺に第３仕切り板がミシン目線を介して連設され、第２仕切り板の第３仕切り板側の長辺に第４仕切り板がミシン目線を介して連設され、第３側面板と第４側面板が罫線を介して連設され、第４側面板と第３仕切り板が罫線を介して連設され、第３仕切り板と第４仕切り板が罫線を介して連設され、第２側面板のカット線と反対側の長辺に、外側に突出した底辺が斜め上方向に向いた状態の三角形状の第１底面板、外側に突出した底辺が斜め上方向に向いた状態の三角形状の第２底面板がそれぞれ罫線を介して前記順序で連設され、第４側面板のカット線と反対側の長辺に、第１底面板、第２底面板とそれぞれ対称形状の第３底面板、第４底面板がそれぞれ罫線を介して前記順序で連設され、さらに第１底面板と第２底面板の底辺側の境界と、第３底面板と第４底面板の底辺側の境界とに直線状の切り込みがそれぞれ設けられてなるブランクを用いて、連設されている第１仕切り板及び第２仕切り板と、連設されている第３仕切り板及び第４仕切り板とをミシン目線を介して折り返してなる中仕切り部の両側に底部と底部から折り立てられた側壁部を有する三角形状の内容物収納部を連設したものからなることを特徴とする紙トレー容器である。
【発明の効果】
【０００６】
本発明の紙トレー容器は、少なくとも、長方形の第１側面板の一方の短辺に同一寸法の第２側面板、長方形の第１仕切り板、長方形の第２仕切り板がそれぞれ罫線を介して前記順序で連設され、第１側面板の一方の長辺に同一寸法の第３側面板がカット線を介して連設され、第２側面板の第３側面板側の長辺に同一寸法の第４側面板がカット線を介して連設され、第１仕切り板の第４側面板側の長辺に第３仕切り板がミシン目線を介して連設され、第２仕切り板の第３仕切り板側の長辺に第４仕切り板がミシン目線を介して連設され、第３側面板と第４側面板が罫線を介して連設され、第４側面板と第３仕切り板が罫線を介して連設され、第３仕切り板と第４仕切り板が罫線を介して連設され、第２側面板のカット線と反対側の長辺に、外側に突出した底辺が斜め上方向に向いた状態の三角形状の第１底面板、外側に突出した底辺が斜め上方向に向いた状態の三角形状の第２底面板がそれぞれ罫線を介して前記順序で連設され、第４側面板のカット線と反対側の長辺に、第１底面板、第２底面板とそれぞれ対称形状の第３底面板、第４底面板がそれぞれ罫線を介して前記順序で連設され、さらに第１底面板と第２底面板の底辺側の境界と、第３底面板と第４底面板の底辺側の境界とに直線状の切り込みがそれぞれ設けられてなるブランクを用いて、連設されている第１仕切り板及び第２仕切り板と、連設されている第３仕切り板及び第４仕切り板とをミシン目線を介して折り返してなる中仕切り部の両側に底部と底部から折り立てられた側壁部を有する三角形状の内容物収納部を連設したものからなっているので、両側の内容物収納部の内面に手が触れない状態で製函でき、さらに両側の内容物収納部を中仕切り部から簡単に切り離すことができ、また、内容物を収納する前は平坦に折り畳んで在庫することも可能である。
【発明を実施するための最良の形態】
【０００７】
本発明の紙トレー容器を実施の形態に沿って以下に詳細に説明する。図２は本発明の紙トレー容器に使用するブランクの一実施形態を示す平面図であり、ブランク（１０）は、長方形の第１側面板（１１）の一方の短辺に同一寸法の第２側面板（１２）、長方形の第１仕切り板（１５）、長方形の第２仕切り板（１６）が罫線（３１、３２、３３）を介して前記順序で連設され、他方の短辺に糊代（２５）が罫線（３０）を介して連設され、第１側面板（１１）の一方の長辺に同一寸法の第３側面板（１３）がカット線（５０）を介して連設され、第２側面板（１２）の第３側面板（１３）側の長辺に同一寸法の第４側面板（１４）がカット線（５０）を介して連設され、第１仕切り板（１５）の第４側面板（１４）側の長辺に第３仕切り板（１７）がミシン目線（５３）を介して連設され、第２仕切り板（１６）の第３仕切り板（１７）側の長辺に第４仕切り板（１８）がミシン目線（５３）を介して連設され、第３側面板（１３）と第４側面板（１４）が罫線（３５）を介して連設され、第４側面板（１４）と第３仕切り板（１７）が罫線（３６）を介して連設され、第３仕切り板（１７）と第４仕切り板（１８）が罫線（３７）を介して連設され、第２側面板（１２）のカット線（５０）と反対側の長辺に、外側に突出した底辺が斜め上方向に向いた状態の三角形状の第１底面板（１９）、外側に突出した底辺が斜め上方向に向いた状態の三角形状の第２底面板（２０）、糊代（２３）がそれぞれ罫線（４０、４１、４２）を介して前記順序で連設され、第４側面板（１４）のカット線（５０）と反対側の長辺に、前記第１底面板（１９）、第２底面板（２０）、糊代（２３）とそれぞれ対称形状の第３底面板（２１）、第４底面板（２２）、糊代（２４）がそれぞれ罫線（４３、４４、４５）を介して前記順序で連設され、第３側面板（１３）の第４側面板（１４）と反対側の短辺に糊代（２６）が罫線（３４）を介して連設され、糊代（２５）と糊代（２６）が罫線（４６）を介して連設され、さらに第１底面板（１９）と第２底面板（２０）の底辺側の境界に切り込み（５１）が設けられ、第３底面板（２１）と第４底面板（２２）の底辺側の境界に切り込み（５２）が設けられているものからなっている。
【０００８】
前記カット線（５０）は、前記ブランク（１０）を用いて、紙トレー容器（１）を製函する時に、連設されている第１側面板（１１）及び第２側面板（１２）と、連設されてい
る第３側面板（１３）及び第４側面板（１４）とをカット線（５０）で切断して分離する為に設けており、その形状は切断し易いものであれば特に限定しない。また、ミシン目線（５３）は、連設されている第１仕切り板（１５）及び第２仕切り板（１６）と、連設されている第３仕切り板（１７）及び第４仕切り板（１８）とをミシン目線（５３）を介して折り返して、中仕切り部（３）を設ける為のものである。また、ミシン目線（５３）に沿って切断して、両側の三角形状の内容物収納部（６、７）を分離することも可能である。
【０００９】
また、前記切り込み（５１、５２）は、第１底面板（１９）の底辺側と第３底面板（２１）の底辺側、さらに第２底面板（２０）の底辺側と第４底面板(２２)の底辺側を製函時にお互いに重ね合わせて、底部（２）を設ける為のものである。
【００１０】
前記ブランク（１０）に使用する材料としては、坪量２１０〜３１０ｇ／ｍ2の各種板紙が使用可能である。
【００１１】
図１（ａ）は本発明の紙トレー容器の一実施形態を示す斜視図であり、紙トレー容器（１）は、前記ブランク（１０）を用いて製函されており、第１底面板（１９）と第２底面板（２０）と第３底面板（２１）と第４底面板（２２）からなる底部（２）を設け、連設されている第１仕切り板（１５）及び第２仕切り板（１６）と、連設されている第３仕切り板（１７）及び第４仕切り板（１８）とをミシン目線（５３）を介して折り返してなる中仕切り部（３）を設け、第１側面板（１１）と第２側面板（１２）からなる側壁部（４）と、第３側面板（１３）と第４側面板（１４）からなる側壁部（５）とを設け、それぞれ底部（２）と前記側壁部（４、５）で囲まれた２個の三角形状の内容物収納部（６、７）を設けており、（ｂ）は前記底部の詳細形状の説明図であり、底部（２）は第１底面板（１９）の底辺側と第３底面板（２１）の底辺側が重なっており、同様に第２底面板（２０）の底辺側と第４底面板（２２）の底辺側が重なった状態のものからなっており、（ｃ）は前記中仕切り部の断面形状の説明図であり、中仕切り部（３）は、図ではミシン目線（５３）を介して第１仕切り板（１５）と第３仕切り板（１７）が折り返された形状になっている。
【００１２】
図３は本発明の紙トレー容器を平坦に折り畳んだ時の一例を示す説明図であり、第２側面板（１２）のカット線（５０）と反対側の長辺に三角形状の第１底面板（１９）を有し、第４側面板（１４）のカット線（５０）と反対側の長辺に三角形状の第３底面板（２１）を有し、下側にそれぞれ第１仕切り板（１５）及び第３仕切り板（１７）を有する状態で平坦に折り畳んでおり、この状態で在庫することで、嵩張ることが無くなる。
【００１３】
本発明の紙トレー容器の特徴とするところは、前記形状のブランクからなっているので、最終製函する前は折り畳んで平坦にした状態で在庫でき、さらに、両側の内容物収納部の内面に手が触れない状態で製函でき、最終製函したものは両側の内容物収納部をミシン目線の部分から容易に分離することができることである。
【図面の簡単な説明】
【００１４】
【図１】（ａ）は本発明の紙トレー容器の一実施形態を示す斜視図であり、（ｂ）は底部の詳細形状の説明図であり、（ｃ）は中仕切り部の断面形状の説明図である。
【図２】本発明の紙トレー容器に使用するブランクの一実施形態を示す平面図である。
【図３】本発明の紙トレー容器を平坦に折り畳んだ時の一例を示す説明図である。
【符号の説明】
【００１５】
１…紙トレー容器
２…底部
３…中仕切り部
４，５…側壁部
６，７…内容物収納部
１０…ブランク
１１…第１側面板
１２…第２側面板
１３…第３側面板
１４…第４側面板
１５…第１仕切り板
１６…第２仕切り板
１７…第３仕切り板
１８…第４仕切り板
１９…第１底面板
２０…第２底面板
２１…第３底面板
２２…第４底面板
２３，２４，２５，２６…糊代
３０，３１，３２，３３，３４，３５，３６，３７…罫線
４０，４１，４２，４３，４４，４５，４６…罫線
５０…カット線
５１，５２…切り込み
５３…ミシン目線
【図１】
2007022573.tif 000003
【図２】
2007022573.tif 000004
【図３】
2007022573.tif 000005